(57)【要約】【課題】設置位置を自由に選べて便器側および洗面器側の両面側を良好に使用できる器具取付台を提供する。【解決手段】便器５と洗面器６との間に配置される器具取付台９であって、この器具取付台９は、垂直方向の板部材１０を備え、板部材１０の便器５側には少なくともペーパーホルダー１２が取り付けられ、板部材１０の洗面器６側には少なくともタオル掛け１５が取り付けられて、床面Ｆに固定されている。【選択図】図２
2007195758.tif 000002
【特許請求の範囲】
【請求項１】
便器と洗面器との間に配置される器具取付台であって、
該器具取付台は、垂直方向の板部材を備え、該板部材の前記便器側には少なくともペーパーホルダーが取り付けられ、該板部材の前記洗面器側には少なくともタオル掛けが取り付けられていることを特徴とする器具取付台。
【請求項２】
前記板部材が床面に固定されていることを特徴とする請求項１に記載の器具取付台。
【発明の詳細な説明】
【技術分野】
【０００１】
本発明は、便器と洗面器との間に配置される器具取付台に関するものである。
【背景技術】
【０００２】
従来、特許文献１に開示されているように、便器の側方にポールを立設し、このポール上にペーパーホルダーを取り付けて、便器側方の使用勝手の良い位置にペーパーホルダーを配置させた構成のものが存在する。
【特許文献１】特開平１０−３２８０７１号公報
【発明の開示】
【発明が解決しようとする課題】
【０００３】
従来の特許文献１の構造では、ポールの片面側にペーパーホルダーを取り付けたものであり、ポールの両面側を使用できるような構成ではなく、便器と洗面器の両側から良好に器具を使用できる器具取付台の出現が望まれていた。
【課題を解決するための手段】
【０００４】
本発明は上記従来の問題点に鑑み案出したものであって、両面を使用できて使い勝手の良い位置に設置できる器具取付台を提供するものであり、その請求項１は、便器と洗面器との間に配置される器具取付台であって、該器具取付台は、垂直方向の板部材を備え、該板部材の前記便器側には少なくともペーパーホルダーが取り付けられ、該板部材の前記洗面器側には少なくともタオル掛けが取り付けられていることである。
【０００５】
また、請求項２は、前記板部材が床面に固定されていることである。
【発明の効果】
【０００６】
本発明は、便器と洗面器との間に配置される器具取付台であって、該器具取付台は、垂直方向の板部材を備え、該板部材の前記便器側には少なくともペーパーホルダーが取り付けられ、該板部材の前記洗面器側には少なくともタオル掛けが取り付けられていることにより、便器に着座した状態で良好にペーパーホルダーからロールペーパーを引き出して使用することができ、また、洗面器側で洗面等を行う際に、タオル掛けに掛けたタオルを良好に使用することができるものとなる。
【０００７】
また、前記板部材が床面に固定されていることにより、ユニットバスに限らず、在来施工の浴室内にも良好に設置することができ、便器と洗面器の間に壁がない場合においても、任意の位置に設置することができる。
【実施例】
【０００８】
以下、本発明の実施例を図面に基づいて説明する。
図１は、ユニットルームの平面構成図であり、また図２は、ユニットルームの正面構成図である。
ユニットルーム１内には浴槽２が設置され、この浴槽２の上方の壁面Ｗには吐水口３が設けられ、更にその上方にはハンドシャワー４が配置されている。また、浴槽２の図示左側には便器５と、更にその側方に間隔をおいて洗面器６が壁面Ｗに取り付けられており、便器５の上方には壁面Ｗに棚７が取り付けられ、更にその上方には鏡８が取り付けられている。
【０００９】
本例では、便器５と洗面器６との間に、床面Ｆから立ち上げて器具取付台９が立設されている。この器具取付台９は、図３に拡大して側面図で示し、また図４，図５において斜視図で示し、更に図６において裏面図で示すような構造となっている。
器具取付台９は、鏡面仕上げしたステンレス等の金属板、あるいは透明樹脂板で構成された板部材１０を備え、この板部材１０の下端がベース１１に嵌め込み状に固定されたものであり、ベース１１は、固定部１１ａの上面に上方が開放された箱状の箱体部１１ｂが一体形成されており、このベース１１をビス等で床面Ｆに固設しておき、この固設したベース１１の箱体部１１ｂに対し、上方より板部材１０の下端を嵌め込んで、箱体部１１ｂの側面に形成されているビス孔１１ｃ，１１ｃ内にビス１４を入れ、ビス１４を板部材１０の下端にタップ切りされているネジ孔１０ａ内に締め付けることで、ビス１４を介しベース１１に板部材１０を固定して、板部材１０を立設させることができるものである。
【００１０】
この板部材１０の便器５側の面には、上下２段に２個のペーパーホルダー１２，１２が取り付けられている。
各ペーパーホルダー１２は、裏側からビスを締め付けて略水平状に突出固定された柱状の支持具１２ｂの先端側に、上下方向に回動可能に紙切り板１２ａが設けられており、また支持具１２ｂの先端側に垂下状に保持アーム１２ｃが設けられており、この保持アーム１２ｃにロールペーパー１３を保持させることができるように構成されている。
【００１１】
また、板部材１０の洗面器６側の面には、反対側からビスを締め付けて柱状の支持具１５ａが略水平状に突出固定されており、この支持具１５ａの先端側には、回動可能にリング状のタオルリング１５ｂが垂設されており、支持具１５ａとタオルリング１５ｂでタオル掛け１５が構成されている。
このように、便器５と洗面器６の間に、床面Ｆから立ち上げて器具取付台９を立設させておくことにより、便器５に着座した状態で良好にペーパーホルダー１２からロールペーパー１３を引き出して使用することができ、また、洗面器６側で洗面等を行う際に、タオル掛け１５に掛けたタオルを良好に使用することができるものとなり、便器５側および洗面器６側の何れ側からも手の届く位置にペーパーホルダー１２およびタオル掛け１５を配置させることができるものとなる。
【００１２】
このように、器具取付台９は床面から立ち上げられるものであるため、ユニットバスに限らず、在来施工の浴室内にも良好に設置することができ、便器５と洗面器６の間に壁がない場合においても、任意の位置に設置することができる。
【００１３】
なお、図７の側面図で、また図８の正面図で示す器具取付台９は変更例を示すものであり、この図７および図８の器具取付台９は、板部材１０の高さを高くして、板部材１０の上端側のペーパーホルダー１２の上方に、便器５用のリモコン１６をビスで取り付けたものである。
このように、ペーパーホルダー１２と共にリモコン１６も板部材１０の便器５側に取り付けておくことができ、また、洗面器６側には、タオル掛け１５と共に棚やトレー等の小物入れを設けておくことができ、極めて使用勝手が良好なものとなる。
【００１４】
なお、本例では、器具取付台９を床面Ｆに固定させて、器具取付台９の設置位置を自由に選べるように構成しているが、器具取付台９は、壁面Ｗ側に固定したものであっても良く、図９の平面図で示すように、器具取付台９のベース１１を壁面Ｗにビス等で固定して、このベース１１から板部材１０を便器５と洗面器６との間に延ばして設置するような構成であっても良く、この場合も、板部材１０の便器５側には少なくともペーパーホルダー１２を取り付けておくことができ、また、板部材１０の洗面器６側には少なくともタオル掛け１５を取り付けておくことができるものである。
【図面の簡単な説明】
【００１５】
【図１】ユニットルームの平面構成図である。
【図２】ユニットルームの正面構成図である。
【図３】器具取付台の側面構成図である。
【図４】器具取付台の便器側から見た斜視構成図である。
【図５】器具取付台の下端部の分解斜視図である。
【図６】器具取付台の洗面器側から見た裏面図である。
【図７】リモコンを便器側に取り付けた器具取付台の側面構成図である。
【図８】図７の器具取付台の便器側からの正面構成図である。
【図９】器具取付台を壁面側に固定させて設置した状態のユニットルームの平面構成図である。
【符号の説明】
【００１６】
１  ユニットルーム
２  浴槽
５  便器
６  洗面器
９  器具取付台
１０  板部材
１１  ベース
１１ａ  固定部
１１ｂ  箱体部
１２  ペーパーホルダー
１２ａ  紙切り板
１２ｂ  支持具
１３  ロールペーパー
１４  ビス
１５  タオル掛け
１５ａ  支持具
１５ｂ  タオルリング
１６  リモコン
【図１】
2007195758.tif 000003
【図２】
2007195758.tif 000004
【図３】
2007195758.tif 000005
【図４】
2007195758.tif 000006
【図５】
2007195758.tif 000007
【図６】
2007195758.tif 000008
【図７】
2007195758.tif 000009
【図８】
2007195758.tif 000010
【図９】
2007195758.tif 000011